(57)【要約】【課題】ほこりおよび昆虫などの混入を防ぐ効果を有し、組み立て、交換およびクリーニングが容易なファン固定フレームおよびファン固定フレームを備えるケースを提供する。【解決手段】ファン固定フレーム２であり、台座２０、カバー３０およびフィルタ４０を備え、台座２０にファン５を設置する格納槽２１を備える。格納槽２１の向かい合う側面上に挿入口２２と空気入口２３を備え、空気入口２３によりファン５は外部の空気を吸入する。カバー３０は着脱可能に台座２０に結合でき、ファン５を格納槽２１に固定し、且つカバー３０上に空気を排出するための空気出口３２を備える。フィルタ４０は台座２０の挿入口２２から格納槽２１に挿し込むことができ、空気入口２３を覆う。他の例ではファン固定フレーム２をケースのケース体１内に装着し、且つフィルタ４０はケース体１の上カバー１１の差し込み穴１４から挿入され、台座３０の格納槽２１に設置される。【選択図】図１
2007327471.tif 000002
【特許請求の範囲】
【請求項１】
ファン固定フレームであって、台座、カバーおよびフィルタを含み、
前記台座は、前記ファンを設置する格納槽を備え、前記格納槽の隣り合う双方の側面上に挿入口と空気入口を備え、前記空気入口により前記ファンは外部の空気を吸入し、
前記カバーは、前記台座上に着脱可能に結合し、前記ファンを前記格納槽に固定し、且つ前記カバー上に設けられた複数の空気出口により空気を排出し、
前記フィルタは、前記台座の前記挿入口から前記格納槽に設置され、前記空気入口を覆うことを特徴とするファン固定フレーム。
【請求項２】
前記フィルタの側辺は相対する両翼片を備え、且つ前記両翼片はそれぞれ凹部を備えることを特徴とする請求項１に記載のファン固定フレーム。
【請求項３】
前記格納槽の向かい合う双方の側室壁上にそれぞれ止め穴を備え、前記カバーの両側片にそれぞれ弾性変形力を有する止め鉤を備え、前記止め穴に前記止め鉤が着脱可能に掛かることを特徴とする請求項１又は２に記載のファン固定フレーム。
【請求項４】
前記格納槽の側室壁上に前記ファンの電線を通すための切り込み部を備えることを特徴とする請求項１から３のいずれか１項に記載のファン固定フレーム。
【請求項５】
前記格納槽の向かい合う双方の側室壁上にそれぞれ凸縁を備え、前記凸縁によって前記カバーを止め支え、前記ファンを前記格納槽に固定するとき、前記ファンと前記空気入口間に前記フィルタを設置する空間が形成されることを特徴とする請求項１から４のいずれか１項に記載のファン固定フレーム。
【請求項６】
前記空気入口の向かい合う双方の側辺はそれぞれ枠縁を備え、前記枠縁上に定位凸部を備え、前記フィルタの側面の両側の縁に前記定位凸部にはまり込む定位凹部を備えることを特徴とする請求項１から５のいずれか１項に記載のファン固定フレーム。
【請求項７】
前記台座はさらに前記空気入口の一方の側辺側に斜め外に向けて伸びる空気導流板を備えることを特徴とする請求項１から６のいずれか１項に記載のファン固定フレーム。
【請求項８】
前記カバーの端部に前記ファンに設けられた固定穴にはまり込む複数の固定柱を備えることを特徴とする請求項１から７のいずれか１項に記載のファン固定フレーム。
【請求項９】
前記固定柱は複数の溝部を備え、前記溝部は前記固定柱の相対する側面を貫き、前記固定柱の末端を開口状にすることを特徴とする請求項８に記載のファン固定フレーム。
【請求項１０】
ケースであって、ケース体、上カバーおよびファン固定フレームを含み、
前記ケース体は、側面に複数の通気口を備え、前記複数の通気口は前記ケース体の内部と通じ、
前記上カバーは、前記ケース体上に設置され、且つ前記ケース体の前記複数の通気口付近の場所に挿し込み穴と通し穴を備え、前記挿し込み穴は帯状に形成され、前記通し穴は前記挿し込み穴の中央部にあり前記挿し込み穴より大きな幅を有し、
前記ファン固定フレームは、台座、カバーおよびフィルタを備え、
前記台座は前記ケース体内部に固定され、また前記複数の通気口に面し、且つ前記台座は前記ファンを設置する格納槽を備え、前記格納槽の隣り合う双方の側面上に挿入口と空気入口を備え、前記空気入口により前記ファンは前記複数の通気口から外部の空気を吸入し、
前記カバーは前記台座上に着脱可能に結合し、前記ファンを前記格納槽に固定し、且つ前記カバー上に複数の空気出口を備え、
前記フィルタは前記上カバーの前記挿し込み穴から挿入され、また前記台座の前記挿入口から前記格納槽に設置され、前記空気入口を覆い、
ここで前記フィルタの側辺は前記上カバーの前記通し穴を塞ぐための相対する両翼片を備え、且つ前記両翼片上はそれぞれ凹部を備えることを特徴とするケース。
【請求項１１】
前記格納槽の向かい合う双方の側壁上にそれぞれ止め穴を備え、前記カバーの両側片にそれぞれ弾性変形力を有する止め鉤を備え、前記止め穴に前記止め鉤が着脱可能に掛かることを特徴とする請求項１０に記載のケース。
【請求項１２】
前記格納槽の側室壁上に前記ファンの電線を通すための切り込み部を備えることを特徴とする請求項１０又は１１に記載のケース。
【請求項１３】
前記格納槽の向かい合う双方の側室壁上にそれぞれ凸縁を備え、前記凸縁によって前記カバーを止め支え、前記ファンを前記格納槽に固定するとき、前記ファンと前記空気入口間に前記フィルタを設置する空間が形成されることを特徴とする請求項１０から１２のいずれか１項に記載のケース。
【請求項１４】
前記空気入口の向かい合う双方の側辺はそれぞれ枠縁を備え、前記枠縁上に定位凸部を備え、前記フィルタの側面の両側の縁に前記定位凸部にはまり込む定位凹部を備えることを特徴とする請求項１０から１３のいずれか１項に記載のケース。
【請求項１５】
前記台座はさらに前記空気入口の一方の側辺側に斜め外に向けて伸びる空気導流板を備えることを特徴とする請求項１０から１４のいずれか１項に記載のケース。
【請求項１６】
前記カバーの端部に前記ファンに設けられた固定穴にはまり込む複数の固定柱を備えることを特徴とする請求項１０から１５のいずれか１項に記載のケース。
【請求項１７】
前記固定柱は複数の溝部を備え、前記溝部は前記固定柱の相対する側面を貫き、前記固定柱の末端を開口状にすることを特徴とする請求項１６に記載のケース。
【発明の詳細な説明】
【技術分野】
【０００１】
本発明は、ファンの固定及び防塵についての技術領域に関し、詳しくはコンピュータケース上に装着され、ファンの固定に便利で防塵効果を有するファン固定フレーム及びファン固定フレームを備えるケースに関する。
【背景技術】
【０００２】
一般のコンピュータケースは良好な放熱機能を備え、通常は内部にファンを設置し、ファンを利用して外部の空気を吸入し、これによりケース内部と外界の空気を交換し、ケース内部に熱がこもり、部品の寿命を縮める問題を解決する。
【０００３】
一般のファンは通常ねじを利用して、これをケース内壁に直接設置するため、ケース外部のほこりがケース上の放熱孔より直接吸入され、ケース内部に混入する。特に昆虫が放熱孔よりケース内に混入することがあり、ほこりと昆虫の混入はケース内部のコンピュータシステムの故障を容易に引き起こし、ケース内部の電子部品の使用寿命に影響する。
【０００４】
上述の問題を解決するため、コンピュータケースによっては、防塵フィルタを別途設け、ほこりおよび昆虫の混入を防ぐ。特許文献１、特許文献２および特許文献３で開示される防塵或いはフィルタ装置において、この防塵或いはフィルタ装置は砂埃および昆虫を防ぐ効果を有し、交換可能な機構を備えるものの、これらフィルタ装置とファンに対応する固定機構が複雑なため、組み立て、交換およびクリーニングに不便をきたす。
【特許文献１】中華民国特許第２７４５５８号明細書
【特許文献２】中華民国特許第３８１７４２号明細書
【特許文献３】中華民国特許第２００３２０１１９０７６．３号明細書
【発明の開示】
【発明が解決しようとする課題】
【０００５】
本発明の主な目的は、ファンの固定が容易で防塵効果を有するファン固定フレームを提供し、またこのファン固定フレームを備えるケースを提供することにある。
【課題を解決するための手段】
【０００６】
本発明のファン固定フレームの構成は、台座、カバー及びフィルタを含み、そのうち前記台座はファンを設置する格納槽を備え、且つ格納槽の隣り合う双方の側面上に挿入口と空気入口を備え、空気入口によりファンが外部の空気を吸入する。前記カバーは前記台座上に着脱可能に結合され、前記ファンが前記格納槽内に固定される。前記カバー上に複数の空気出口があり空気を排出する。更に、前記フィルタは台座の挿入口から格納槽に設置され、空気入口を覆う。
【０００７】
他の構成においては、前記ファン固定フレームをケースのケース体に装着し、且つフィルタはケース体を覆う上カバーの通し穴より挿入でき、台座の挿入口から格納槽内に設置する。このほか、前記フィルタの側辺に相対する両翼片が設置され、前記上カバーの通し穴を覆い、且つ、前記両翼片上にそれぞれ凹部が設けられる。
【０００８】
上述のケースは、ファン固定フレームが装着されるため、ファンの固定を便利に素早く行え、且つフィルタによりほこり或いは昆虫の混入を防ぐことができる。また、前記抜き取り式のフィルタは、ケース体外部から直接抜き取ることができ、上カバーを開ける必要がないため、クリーニングの際に非常に便利であり、また上カバーにやや大きな口径の通し穴を備え、フィルタの抜き取りに便利であり、フィルタ上の両翼片により、ほこりが通し穴から混入することを防ぐことができる。
【発明の効果】
【０００９】
本発明によれば、ファンの固定が容易で防塵効果を有するファン固定フレーム、及びファン固定フレームを備えるケースを提供することができる。
【発明を実施するための最良の形態】
【００１０】
図１及び図２に本発明の第一の実施例を示す。本実施例においてファン固定フレーム２は以下を含む。
【００１１】
台座２０はファン５を設置する格納槽２１を備え、格納槽２１の隣り合う側面に挿入口２２および空気入口２３を備え、空気入口２３によりファン５は外部の空気を吸入し、また、格納槽２１の向い合う側室壁上にそれぞれ止め穴２４およびその片側の側室壁上にファン５の電線５１を通すための切り込み部２５を備える。
【００１２】
カバー３０は台座２０の格納槽２１内に取り付けられ、ファン５を設置する収納室３１を備え、収納室３１の底面の中央位置に複数の空気出口３２を備え、空気出口３２から空気を排出する。向かい合う端部はファン５に設けられた固定穴５２中にはめ込むための固定柱３３をそれぞれ備え、固定柱３３は導き角度部３３０および複数の溝部３３１を備える。導き角度部３３０は固定柱３３の末端に形成され、固定柱３３をファン５の固定穴５２中に導き、溝部３３１は固定柱３３の相対する側面を貫き、且つ末端は開口状になっており、固定柱３３に放射方向への弾性変形力をもたらす。また、カバー３０の両側縁にそれぞれ止め鉤３４を設け、止め鉤３４は弾性変形力を備え、台座２０の止め穴２４中に止め鉤３４を着脱可能に掛けることができる。
【００１３】
フィルタ４０は台座２０の挿入口２２から格納槽２１内に挿入され、空気入口２３を覆い、且つフィルタ４０の一方の側辺にお互いに相対し上に傾き且つ円弧形の翼片４１を備え、２つの翼片４１上にそれぞれ凹部４２を備え、使用者はこの凹部４２に指を差し入れ、フィルタ４０を簡単に取り出すことができる。
【００１４】
図３を参照する。格納槽２１の向かい合う双方の側壁上の空気入口２３付近の場所にそれぞれ凸縁２６を備え、カバー３０を止め支える。ファン５を格納槽２１に固定するときに、ファン５の側面と空気入口２３間にフィルタ４０を設置する空間２６０を形成し、また、空気入口２３の一方の側辺側から斜め外に向けた空気導流板２７を備え、ファン５がより多くの空気を吸入できるようにする。
【００１５】
図３にて、カバー３０の両側の止め鉤３４は弾性を持って動き、挟み込まれて変形し、台座２０の止め穴２４中に掛かり、カバー３０を台座２０に結合する目的を達する。反対に、止め鉤３４を挟んで変形させて台座２０の止め穴２４から離し、カバー３０を台座２０から離脱させる目的を達する。
【００１６】
図４示すように、空気入口２３の双方の向かい合う側辺はそれぞれ枠縁２８を備え、枠縁２８の一端は挿入口２２まで伸び、且つ枠縁２８上に定位凸部２８０を備え、フィルタ４０の側面の両側縁にそれぞれ定位凹部４３を備え、定位凹部４３に定位凸部２８０をはめ込み、フィルタ４０により優れた定位効果をもたらす。
【００１７】
図５は本発明の他の実施例を示す。主に上述のファン固定フレーム２を備えるケースである。ここで、ケースはケース体１、上カバー１１およびファン固定フレーム２を含む。ケース体１は、側面１０に複数の通気口１３を備え、ケース体１の内部と通じる。上カバー１１はケース体１を覆うように設置され、且つケース体１の通気口１３近くの場所に挿し込み穴１４及び通し穴１５を備え、挿し込み穴１４は帯状に形成され、且つ通し穴１５は挿し込み穴１４の中央部に設けられ、挿し込み穴１４の幅より大きい。
【００１８】
また、ファン固定フレーム２は台座２０を利用してケース体１の内部に固定され、台座２０の空気入口２３をケース体１の通気口１３に向け、ファン５は空気入口２３を通じて、複数の通気口１３より外部の空気を吸入し、フィルタ４０は上カバー１１の挿し込み穴１４より挿入し、挿入口２２から台座２０の格納槽２１に設置して空気入口２３を覆う。
【００１９】
図６に示すように、フィルタ４０を上カバー１１の挿し込み穴１４より挿入し、台座２０の挿入口２２を通じて格納層２１に設置するとき、フィルタ４０の側辺の両翼辺４１は上カバー１１の通し穴１５を塞ぎ、ほこりが通し穴１５より入り込むことを防ぐ。
【００２０】
ケース体１は弾性を有する止め鉤３４により台座２０上に結合されるため、ファン５の装着と取り外しがより便利に素早く行え、ファン固定フレーム２上のフィルタ４０はほこり或いは昆虫の侵入を効率的に防止し、他に取り外し式のフィルタ４０により、使用者は上カバー１１を開けたり、ファン５を覆う遮蔽物を移動することなく、直接ケース体１外部より抜き取ることができる。従って、フィルタ４０のクリーニング面で非常に便利である。さらに上カバー１１上の大口径の通し穴１５によりフィルタ４０の取り出しも便利であり、フィルタ４０上の両翼片４２はほこり或いは異物が通し穴１５より混入することを防ぐ。
【図面の簡単な説明】
【００２１】
【図１】本発明の実施例におけるファン固定フレームの立体分解図である。
【図２】本発明の実施例におけるファン固定フレームのカバーの部分拡大図である。
【図３】本発明の実施例におけるファン固定フレームの横断面図である。
【図４】本発明の実施例におけるファン固定フレームの縦断面図である。
【図５】本発明の他の実施例におけるファン固定フレームを備えるケースの立体分解図である。
【図６】本発明の他の実施例におけるファン固定フレームを備えるケースの縦断面図である。
【符号の説明】
【００２２】
１  ケース体
２  ファン固定フレーム
５  ファン
１１  上カバー
１３  通気口
１４  挿し込み穴
１５  通し穴
２０  台座
２１  格納槽
２２  挿入口
２３  空気入口
２４  止め穴
２５  切り込み部
２６  凸縁
２７  空気導入版
２８  枠縁
３０  カバー
３１  収納室
３２  空気出口
３３  固定柱
３４  止め鉤
４０  フィルタ
４１  翼片
４２  凹部
４３  定位凹部
【図１】
2007327471.tif 000003
【図２】
2007327471.tif 000004
【図３】
2007327471.tif 000005
【図４】
2007327471.tif 000006
【図５】
2007327471.tif 000007
【図６】
2007327471.tif 000008